(57)【要約】【課題】人の手の届かない高所や離れた場所に設置している時計であっても一般のユーザが容易に時刻の調整を行うことのできる時刻調整装置を提供する。【解決手段】調整モードへの移行を指示する第１操作信号と、時計盤の時刻の調整を指示する第２操作信号との何れかをユーザの操作入力に基づいて送信するコントローラ２と、コントローラ２からの各操作信号に基づく制御を実行するシーケンサ１１とを備え、シーケンサ１１は、第１操作信号を受信すると、時刻用パルスを駆動部に入力する経路を遮断し、駆動部に調整用パルスを送信する経路を閉成し、調整モードにおいて第２操作信号を受信すると、駆動部に対して調整用パルスを送信する。【選択図】図１
2014035201.tif 000002
【特許請求の範囲】
【請求項１】
時刻用パルスを受けて時計盤の指針を駆動する駆動部を有する時計に対して用いられ、
前記時計と離間して設けられ、前記時計盤の時刻を調整する調整モードへの移行を指示する第１操作信号と、前記時計盤の時刻の調整を指示する第２操作信号との何れかをユーザの操作入力に基づいて送信するコントローラと、
前記時計に取り付けられて前記コントローラからの前記各操作信号に基づく制御を実行する制御部とを備え、
前記制御部は、前記第１操作信号を受信すると、前記時刻用パルスを前記駆動部に入力する経路を遮断し、前記駆動部に時刻を調整するための調整用パルスを送信する経路を閉成することで前記調整モードへと移行し、前記調整モードにおいて前記第２操作信号を受信すると、前記駆動部に対して前記調整用パルスを送信することを特徴とする時刻調整装置。
【請求項２】
前記時計は、前記時計盤及び前記駆動部を１組として２組有する両面型の時計であって、前記制御部は、一方の前記時計盤が前記調整モードの場合に、他方の前記時計盤を前記調整モードに切り替える操作入力を受け付けないことを特徴とする請求項１記載の時刻調整装置。
【請求項３】
前記駆動部は、前記調整用パルスが入力されると前記時計盤の時刻を１分進めるように前記指針を駆動することを特徴とする請求項１又は２に記載の時刻調整装置。
【請求項４】
前記制御部と前記コントローラとの間は、無線で通信することを特徴とする請求項１乃至３の何れか１項に記載の時刻調整装置。
【請求項５】
前記制御部と前記コントローラとの間は、有線で通信することを特徴とする請求項１乃至３の何れか１項に記載の時刻調整装置。
【請求項６】
前記駆動部は、前記時計盤が前記通常モードの場合に前記調整用パルスを受け付けないことを特徴とする請求項１乃至５の何れか１項に記載の時刻調整装置。
【請求項７】
前記時計の外部に露出する形で設けられて前記時計盤の時刻の調整中であることを示す表示部を備えることを特徴とする請求項１乃至６の何れか１項に記載の時刻調整装置。
【発明の詳細な説明】
【技術分野】
【０００１】
本発明は、時計の時刻を調整する時刻調整装置に関する。
【背景技術】
【０００２】
従来から、親時計から基準発振源を持たないステップモータ式のアナログ子時計に、信号線を介して駆動用パルス信号を与えることにより、アナログ子時計を親時計と同期運針させる親子時計が知られており、例えば特許文献１に開示されている。この親子時計は、デジタル子時計として基準発振源より基準信号が与えられて作動する汎用の時計用集積回路を使用し、この時計用集積回路の秒の表示出力を親時計の駆動用パルス信号で１分毎にリセットするように構成している。これにより、この従来例では、デジタル子時計を親時計と同期運針させることができ、また、汎用の時計用集積回路を使用することから、デジタル子時計を安価に製造することができる。
【先行技術文献】
【特許文献】
【０００３】
【特許文献１】特開昭５８−５８４９０号公報
【発明の概要】
【発明が解決しようとする課題】
【０００４】
ところで、上記従来例の親子時計では、親時計に接続された複数の子時計の時刻を一括して調整する。このため、何れか１つの子時計の時刻のみを調整したい場合には、その子時計に設けられた調整用の摘みを直接回す等して、その子時計を直接操作する必要がある。また、親時計とは独立して使用する型の時計でも、時刻を調整する場合には、その時計を直接操作する必要がある。
【０００５】
しかしながら、上記の子時計や、親時計とは独立して使用する型の時計を、人の手の届かない高所や離れた場所に設置している場合、時刻を調整する際に足場や脚立、高所作業所などが必要となるという問題があった。また、このような場所で作業を行える業者も限られていることから、一般のユーザが時刻を調整することができず、時刻を調整するための費用が膨大になるという問題があった。
【０００６】
本発明は、上記の点に鑑みて為されたもので、人の手の届かない高所や離れた場所に設置している時計であっても一般のユーザが容易に時刻の調整を行うことのできる時刻調整装置を提供することを目的とする。
【課題を解決するための手段】
【０００７】
本発明の時刻調整装置は、時刻用パルスを受けて時計盤の指針を駆動する駆動部を有する時計に対して用いられ、前記時計と離間して設けられ、前記時計盤の時刻を調整する調整モードへの移行を指示する第１操作信号と、前記時計盤の時刻の調整を指示する第２操作信号との何れかをユーザの操作入力に基づいて送信するコントローラと、前記時計に取り付けられて前記コントローラからの前記各操作信号に基づく制御を実行する制御部とを備え、前記制御部は、前記第１操作信号を受信すると、前記時刻用パルスを前記駆動部に入力する経路を遮断し、前記駆動部に時刻を調整するための調整用パルスを送信する経路を閉成することで前記調整モードへと移行し、前記調整モードにおいて前記第２操作信号を受信すると、前記駆動部に対して前記調整用パルスを送信することを特徴とする。
【０００８】
この時刻調整装置において、前記時計は、前記時計盤及び前記駆動部を１組として２組有する両面型の時計であって、前記制御部は、一方の前記時計盤が前記調整モードの場合に、他方の前記時計盤を前記調整モードに切り替える操作入力を受け付けないことが好ましい。
【０００９】
この時刻調整装置において、前記駆動部は、前記調整用パルスが入力されると前記時計盤の時刻を１分進めるように前記指針を駆動することが好ましい。
【００１０】
この時刻調整装置において、前記制御部と前記コントローラとの間は、無線で通信することが好ましい。
【００１１】
この時刻調整装置において、前記制御部と前記コントローラとの間は、有線で通信することが好ましい。
【００１２】
この時刻調整装置において、前記駆動部は、前記時計盤が前記通常モードの場合に前記調整用パルスを受け付けないことが好ましい。
【００１３】
この時刻調整装置において、前記時計の外部に露出する形で設けられて前記時計盤の時刻の調整中であることを示す表示部を備えることが好ましい。
【発明の効果】
【００１４】
本発明は、コントローラを用いて時計に取り付けた制御部を遠隔操作することで、時計の時計盤の時刻を調整することができる。したがって、本発明では、人の手の届かない高所や離れた場所に設置している時計であっても、一般のユーザが容易に時刻の調整を行うことができる。
【図面の簡単な説明】
【００１５】
【図１】本発明に係る時刻調整装置の実施形態を示す回路概略図である。
【図２】同上の時刻調整装置を用いる子時計の配置を示す概略図である。
【図３】同上の時刻調整装置を用いる子時計の概略図である。
【図４】（ａ）〜（ｃ）は、同上の時刻調整装置における動作説明図である。
【発明を実施するための形態】
【００１６】
以下、本発明に係る時刻調整装置の実施形態について図面を用いて説明する。本実施形態は、図１に示すように、無線受信部１０と、シーケンサ（制御部）１１と、モード切替部１２と、経路切替部１３と、コントローラ２とを備える。なお、本実施形態は、親時計３（図２参照）と連動して時刻を刻む子時計１，１’（図２参照）に、無線受信部１０、シーケンサ１１、モード切替部１２、経路切替部１３を取り付けている。そして、コントローラ２は、子時計１，１’の外部で（すなわち、子時計１，１’から離間して）ユーザが使用する。
【００１７】
子時計１は、図２に示すように、例えば学校や工場、駅などの建築物に複数設置する。そして、全ての子時計１は親時計３に接続されている。親時計３は、全ての子時計１に対して時刻用パルスを送信する。各子時計１では、親時計３からの時刻用パルスを受信すると後述する各ステッピングモータＭ１，Ｍ２（駆動部）を駆動し、時刻を刻む。このように、親時計３が全ての子時計１の時刻を一括して制御することにより、各子時計１では時刻のずれを心配する必要がない。子時計１は屋内に設置するものだけではなく、例えば同図の子時計１’のように、屋外に設置してもよい。この子時計１’は、地面から立設するポールの先端に固定することで高所に設置している。
【００１８】
子時計１，１’は、図３における前面及び後面の何れにも時計盤を有している。また、子時計１，１’は、前面の時計盤の指針（分針及び時針）を駆動する第１ステッピングモータＭ１と、後面の時計盤の指針を駆動する第２ステッピングモータＭ２とを備える。すなわち、子時計１，１’は、時計盤及び駆動部を１組として２組有する両面型の時計である。各ステッピングモータＭ１，Ｍ２は、何れも駆動コイル（図示せず）、ステータ（図示せず）、ロータ（図示せず）から成り、駆動コイルとステータとで電磁石を形成している。
【００１９】
各ステッピングモータＭ１，Ｍ２は、親時計３から送信される時刻用パルスを受信すると、ステータが永久磁石から成るロータと反発することでロータ自身を回転させて子時計１，１’の指針を駆動する。本実施形態では、親時計３は、時刻用パルスとして負信号（ＤＣ２４Ｖ電源のマイナス）と正信号（ＤＣ２４Ｖ電源のプラス）とを３０秒毎に交互に出力している。そして、各ステッピングモータＭ１，Ｍ２は、負信号を受信すると、各時計盤の指針を「３０秒」の位置になるように駆動し、正信号を受信すると、各時計盤の指針を「分」の位置になるように駆動する。
【００２０】
無線受信部１０は、ＡＣ１００Ｖ電源からの電源電圧の供給を受けて動作する。無線受信部１０は、後述するコントローラ２の無線送信部２３から送信される操作信号を受信し、受信した操作信号に基づいて制御パルスＸ０〜Ｘ２を出力する。後述するシーケンサ１１は、無線受信部１０から出力される制御パルスＸ０〜Ｘ２に基づいて各種制御を実行する。
【００２１】
シーケンサ１１は、図１に示すように、ＤＣ２４Ｖ電源からの電源電圧の供給を受けて動作する。シーケンサ１１は、出力端子Ｙ０と接地端子Ｃ０との間、及び出力端子Ｙ１と接地端子Ｃ１との間に、それぞれ後述するモード切替部１２とＤＣ２４Ｖ電源との間の電路を開閉するリレーＲ３０，Ｒ３１を設けている。各リレーＲ３０，Ｒ３１は、無線受信部１０から出力される制御パルスＸ０に基づいて各電路を開閉する。より具体的には、後述の第１リレーコイルＳ１の導通を制御することで、リレーＲ３０のオン／オフを切り替える。同様に、後述の第２リレーコイルＳ２の導通を制御することで、リレーＲ３１のオン／オフを切り替える。
【００２２】
シーケンサ１１は、出力端子Ｙ２と接地端子Ｃ２との間、及び出力端子Ｙ４と接地端子Ｃ３との間に、それぞれ後述する経路切替部１３とＤＣ２４Ｖ電源との間の電路を開閉するリレーＲ４０，Ｒ４１を設けている。また、シーケンサ１１は、出力端子Ｙ３と接地端子Ｃ２との間、及び出力端子Ｙ５と接地端子Ｃ３との間にも、それぞれ後述する経路切替部１３とＤＣ２４Ｖ電源との間の電路を開閉するリレーＲ５０，Ｒ５１を設けている。各リレーＲ４０，Ｒ４１，Ｒ５０，Ｒ５１は、無線受信部１０から出力される制御パルスＸ２に基づいて各電路を開閉する。
【００２３】
モード切替部１２は、図１に示すように、後述する経路切替部１３の各リレーＲ１０〜Ｒ１３のオン／オフを切り替える第１リレーコイルＳ１と、各リレーＲ２０〜Ｒ２３のオン／オフを切り替える第２リレーコイルＳ２とを備える。各リレーコイルＳ１，Ｓ２がそれぞれリレーＲ３０，Ｒ３１のオン／オフを切り替えることは前述の通りである。
【００２４】
また、モード切替部１２は、第１リレーコイルＳ１と並列に接続されて後述する調整モード時に点灯する第１表示部Ｌ１と、第２リレーコイルＳ２と並列に接続されて調整モード時に点灯する第２表示部Ｌ２とを備える。第１リレーコイルＳ１及び第１表示部Ｌ１は、シーケンサ１１の出力端子Ｖ０及び接地端子Ｃ０間に接続している。また、第２リレーコイルＳ２及び第２表示部Ｌ２は、シーケンサ１１の出力端子Ｙ１及び接地端子Ｃ１間に接続している。
【００２５】
各表示部Ｌ１，Ｌ２は何れも発光ダイオードから成り、子時計１，１’の透明カバーで覆われた時刻表示板（図示せず）上に設けられる。または、各表示部Ｌ１，Ｌ２は、子時計１，１’の外部に露出する形で設けてもよい。各表示部Ｌ１，Ｌ２が調整モード時に点灯することにより、ユーザは、子時計１，１’の何れかの時計盤が調整中であることを視認することができる。
【００２６】
経路切替部１３は、第１ステッピングモータＭ１と時刻用パルスの入力端子との間の電路を開閉する１対のリレーＲ１０，Ｒ１１と、第２ステッピングモータＭ２と時刻用パルスの入力端子との間の電路を開閉する１対のリレーＲ２０，Ｒ２１とを備える。また、経路切替部１３は、第１ステッピングモータＭ１とシーケンサ１１との間の電路を開閉する１対のリレーＲ１２，Ｒ１３と、第２ステッピングモータＭ２とシーケンサ１１との間の電路を開閉する１対のリレーＲ２２，Ｒ２３とを備える。各リレーＲ１０〜Ｒ１３は、モード切替部１２の第１リレーコイルＳ１のオン／オフに連動してオン／オフを切り替える。また、各リレーＲ２０〜Ｒ２３は、モード切替部１２の第２リレーコイルＳ２のオン／オフに連動してオン／オフを切り替える。
【００２７】
コントローラ２は、図１，３に示すように、３つの操作釦２０〜２２と、操作釦２０〜２２の操作に基づく操作信号を子時計１，１’に向けて送信する無線送信部２３とを備える。図３における左側の第１操作釦２０は、子時計１，１’の前面の時計盤において、時刻を刻む通常モードと、時刻を調整する調整モードとを切り替えるために用いる。すなわち、通常モードにおいて第１操作釦２０を押すと調整モードに切り替わり、調整モードにおいて第１操作釦２０を押すと通常モードに切り替わる。
【００２８】
図３における中央の第２操作釦２１は、子時計１，１’の後面の時計盤において通常モードと調整モードとを切り替えるために用いる。すなわち、通常モードにおいて第２操作釦２１を押すと調整モードに切り替わり、調整モードにおいて第２操作釦２１を押すと通常モードに切り替わる。図３における右側の第３操作釦２２は、子時計１，１’の何れかの時計盤が調整モードの場合に、時刻を１分進めるために用いる。例えば、子時計１，１’の前面の時計盤が調整モードの場合に第３操作釦２２を押すと、前面の時計盤の時刻を１分進めることができる。
【００２９】
以下、本実施形態において子時計１，１’の時刻を調整する動作について説明する。先ず、子時計１，１’の前面の時計盤の時刻を調整する場合の動作について説明する。コントローラ２の第１操作釦２０を押すと、コントローラ２の無線送信部２３は、時計盤の調整モードへの移行を指示する第１操作信号を子時計１，１’に向けて送信する。子時計１，１’の無線受信部１０では、この第１操作信号を受信すると、図４（ａ）に示すようにシーケンサ１１に向けて制御パルスＸ０を１秒間出力する。シーケンサ１１では、制御パルスＸ０を受信するとリレーＲ３０をオンに切り替える。これにより、ＤＣ２４Ｖ電源から出力端子Ｙ０及び接地端子Ｃ０間にハイレベルの直流電圧が入力される。このハイレベルの直流電圧により、モード切替部１２の第１リレーコイルＳ１がオンに切り替わり、また、第１表示部Ｌ１が点灯する。
【００３０】
第１リレーコイルＳ１がオンに切り替わると、これに連動して経路切替部１３のリレーＲ１０，Ｒ１１がオフに切り替わる。これにより、親時計３から送信される時刻用パルスを第１ステッピングモータＭ１に送る経路を遮断する。また、第１リレーコイルＳ１がオンに切り替わると、これに連動して経路切替部１３のリレーＲ１２，Ｒ１３がオンに切り替わる。これにより、シーケンス１１から第１ステッピングモータＭ１に後述する調整用パルスを送信する経路が閉成する。すなわち、第１リレーコイルＳ１がオンに切り替わることで、前面の時計盤は通常モードから調整モードに切り替わる。
【００３１】
前面の時計盤が調整モードの場合に、コントローラ２の第３操作釦２２を押すと、コントローラ２の無線送信部２３は、時計盤の時刻の調整を指示する第２操作信号を子時計１，１’に向けて送信する。子時計１，１’の無線受信部１０では、この第２操作信号を受信すると、図４（ｃ）に示すようにシーケンサ１１に向けて制御パルスＸ２を１秒間出力する。シーケンサ１１では、制御パルスＸ２を受信すると、リレーＲ４０，Ｒ４１を１秒間オンに切り替える。これにより、接地端子Ｃ２、リレーＲ４０、出力端子Ｙ２、リレーＲ１２を介して、第１ステッピングモータＭ１のプラス側の入力端子にＤＣ２４Ｖ電源のマイナス端子が接続される。また、接地端子Ｃ３、リレーＲ４１、出力端子Ｙ４、リレーＲ１３を介して、第１ステッピングモータＭ１のマイナス側の入力端子にＤＣ２４Ｖ電源のプラス端子が接続される。したがって、第１ステッピングモータＭ１に調整用パルスの負信号が１秒間入力され、前面の時計盤の指針が「３０秒」の位置に移動する。
【００３２】
その後、シーケンサ１１では、図４（ｃ）に示すように、リレーＲ４０，Ｒ４１をオフに切り替えてリレーＲ５０，Ｒ５１を１秒間オンに切り替える。これにより、接地端子Ｃ２、リレーＲ５０、出力端子Ｙ２、リレーＲ１２を介して、第１ステッピングモータＭ１のマイナス側の入力端子にＤＣ２４Ｖ電源のマイナス端子が接続される。また、接地端子Ｃ３、リレーＲ５１、出力端子Ｙ４、リレーＲ１３を介して、第１ステッピングモータＭ１のプラス側の入力端子にＤＣ２４Ｖ電源のプラス端子が接続される。したがって、第１ステッピングモータＭ１に調整用パルスの正信号が１秒間入力され、前面の時計盤の指針が「分」の位置に移動する。すなわち、コントローラ２の第３操作釦２２を押す毎に、負信号及び正信号を交互に繰り返す調整用パルスを１周期出力し、前面の時計盤の時刻を１分進めることができる。
【００３３】
前面の時計盤の時刻の調整を終えた後、コントローラ２の第１操作釦２０を押すと、コントローラ２の無線送信部２３は、第１操作信号を子時計１，１’に向けて送信する。子時計１，１’の無線受信部１０では、この第１操作信号を受信すると、図４（ａ）に示すようにシーケンサ１１に向けて制御パルスＸ０を１秒間出力する。シーケンサ１１では、制御パルスＸ０を受信するとリレーＲ３０をオフに切り替える。これにより、モード切替部１２の第１リレーコイルＳ１がオフに切り替わり、また、第１表示部Ｌ１が消灯し、前面の時計盤が調整モードから通常モードに切り替わる。
【００３４】
次に、後面の時計盤の時刻を調整する場合の動作について説明する。コントローラ２の第２操作釦２１を押すと、コントローラ２の無線送信部２３は、第１操作信号を子時計１，１’に向けて送信する。子時計１，１’の無線受信部１０では、この第１操作信号を受信すると、図４（ｂ）に示すようにシーケンサ１１に向けて制御パルスＸ１を１秒間出力する。シーケンサ１１では、制御パルスＸ１を受信するとリレーＲ３１をオンに切り替える。これにより、ＤＣ２４Ｖ電源から出力端子Ｙ１及び接地端子Ｃ１間にハイレベルの直流電圧が入力される。このハイレベルの直流電圧により、モード切替部１２の第２リレーコイルＳ２がオンに切り替わり、また、第２表示部Ｌ２が点灯する。
【００３５】
第２リレーコイルＳ２がオンに切り替わると、これに連動して経路切替部１３のリレーＲ２０，Ｒ２１がオフに切り替わる。これにより、親時計３から送信される時刻用パルスを第２ステッピングモータＭ２に送る経路を遮断する。また、第２リレーコイルＳ２がオンに切り替わると、これに連動して経路切替部１３のリレーＲ２２，Ｒ２３がオンに切り替わる。これにより、シーケンス１１から第２ステッピングモータＭ２に調整用パルスを送信する経路が閉成する。すなわち、第２リレーコイルＳ２がオンに切り替わることで、後面の時計盤は通常モードから調整モードに切り替わる。
【００３６】
後面の時計盤が調整モードの場合に、コントローラ２の第３操作釦２２を押すと、コントローラ２の無線送信部２３は、第２操作信号を子時計１，１’に向けて送信する。子時計１，１’の無線受信部１０では、この第２操作信号を受信すると、図４（ｃ）に示すようにシーケンサ１１に向けて制御パルスＸ２を１秒間出力する。シーケンサ１１では、制御パルスＸ２を受信すると、リレーＲ４０，Ｒ４１を１秒間オンに切り替える。これにより、接地端子Ｃ２、リレーＲ４０、出力端子Ｙ２、リレーＲ２２を介して、第２ステッピングモータＭ２のプラス側の入力端子にＤＣ２４Ｖ電源のマイナス端子が接続される。また、接地端子Ｃ３、リレーＲ４１、出力端子Ｙ４、リレーＲ２３を介して、第２ステッピングモータＭ２のマイナス側の入力端子にＤＣ２４Ｖ電源のプラス端子が接続される。したがって、第２ステッピングモータＭ２に調整用パルスの負信号が１秒間入力され、後面の時計盤の指針が「３０秒」の位置に移動する。
【００３７】
その後、シーケンサ１１では、図４（ｃ）に示すように、リレーＲ４０，Ｒ４１をオフに切り替えてリレーＲ５０，Ｒ５１を１秒間オンに切り替える。これにより、接地端子Ｃ２、リレーＲ５０、出力端子Ｙ２、リレーＲ２２を介して、第２ステッピングモータＭ２のマイナス側の入力端子にＤＣ２４Ｖ電源のマイナス端子が接続される。また、接地端子Ｃ３、リレーＲ５１、出力端子Ｙ４、リレーＲ２３を介して、第２ステッピングモータＭ２のプラス側の入力端子にＤＣ２４Ｖ電源のプラス端子が接続される。したがって、第２ステッピングモータＭ２に調整用パルスの正信号が１秒間入力され、後面の時計盤の指針が「分」の位置に移動する。すなわち、コントローラ２の第３操作釦２２を押す毎に、負信号及び正信号を交互に繰り返す調整用パルスを１周期出力し、後面の時計盤の時刻を１分進めることができる。
【００３８】
後面の時計盤の時刻の調整を終えた後、コントローラ２の第２操作釦２１を押すと、コントローラ２の無線送信部２３は、第１操作信号を子時計１，１’に向けて送信する。子時計１，１’の無線受信部１０では、この第１操作信号を受信すると、図４（ｂ）に示すようにシーケンサ１１に向けて制御パルスＸ１を１秒間出力する。シーケンサ１１では、制御パルスＸ１を受信するとリレーＲ３１をオフに切り替える。これにより、モード切替部１２の第２リレーコイルＳ２がオフに切り替わり、また、第２表示部Ｌ２が消灯し、後面の時計盤が調整モードから通常モードに切り替わる。
【００３９】
なお、シーケンサ１１は、一方の時計盤が調整モードの場合には、他方の時計盤を調整モードに切り替える操作入力を受け付けない。例えば、前面の時計盤が調整モードの場合にコントローラ２の第２操作釦２１を押したものとする。この場合、シーケンサ１１は、制御パルスＸ１を受信してもリレーＲ３１をオンに切り替えない。このため、子時計１，１’の時計盤のうち時刻を調整する必要のない時計盤の時刻をユーザが誤ってずらすのを防止することができる。
【００４０】
また、各時計盤が通常モードの場合にコントローラ２の第３操作釦２２を押しても、その操作は無効となる。すなわち、各時計盤が通常モードの場合には、駆動部１３の各リレーＲ１２，Ｒ１３，Ｒ２２，Ｒ２３がオフであるため、シーケンサ１１からの調整用パルスが各ステッピングモータＭ１，Ｍ２に入力されることがない。このため、ユーザが第３操作釦２２を不用意に操作して子時計１，１’の各時計盤の時刻を誤ってずらすのを防止することができる。
【００４１】
上述のように、本実施形態では、コントローラ２を用いて子時計１，１’に取り付けたシーケンサ１１を遠隔操作することで、子時計１，１’の各時計盤の時刻を調整することができる。したがって、本実施形態では、人の手の届かない高所や離れた場所に設置している子時計１，１’であっても、一般のユーザが容易に時刻の調整を行うことができる。このため、時刻を調整するために業者を呼ぶ必要がなく、時刻を調整するための費用を削減することができる。
【００４２】
ここで、親子時計では、親時計３に接続された複数の子時計１，１’の時刻を一括して調整することは可能であるが、任意の１つの子時計１，１’の時刻のみを調整することができない。任意の１つの子時計１，１’の時刻を調整すると、その子時計１，１’の属するグループにおける他の子時計１，１’の時刻も調整してしまうからである。これに対して、本実施形態では、コントローラ２を用いてシーケンサ１１を操作し、親時計３から送信される時刻用パルスを遮断した後に時刻の調整を行うので、任意の１つの子時計１，１’の時刻のみを調整することができる。
【００４３】
なお、本実施形態では、コントローラ２の無線送信部２３と、子時計１，１’の無線受信部１０との間を無線で通信しているが、コントローラ２と子時計１，１’との間を通信線で接続し、通信線を介して有線で通信を行ってもよい。
【００４４】
また、本実施形態では、時刻を調整する対象として子時計１を挙げているが、必ずしも親時計３に接続されている時計である必要はない。例えば、時刻用パルスを出力するパルス発信器（図示せず）を内蔵した、親時計３とは独立して使用する時計を調整する場合でも、本実施形態を採用することができる。すなわち、コントローラ２の第１操作釦２０又は第２操作釦２１を操作することでパルス発信器からのパルス信号を遮断し、その後コントローラ２の第３操作釦２２を操作することで、本実施形態と同様に時計の時刻を調整することが可能である。
【００４５】
更に、本実施形態では、時計盤及びステッピングモータを２組有する両面型の時計を対象としているが、時計盤及びステッピングモータを１組のみ有する片面型の時計にも採用できることは言うまでもない。
【符号の説明】
【００４６】
１１  シーケンサ（制御部）
１２  切替部
１３  駆動部
２  コントローラ
【図１】
2014035201.tif 000003
【図２】
2014035201.tif 000004
【図３】
2014035201.tif 000005
【図４】
2014035201.tif 000006